(57)【要約】【課題】入力したデータ群に対して所定の処理を行うデータ処理装置において、データ群に対応する識別データを確実に取得する処理装置を実現する。【解決手段】データ処理装置４は、入出力インタフェース１８を介して入力されるデータ群に関して、対応する識別データが存在するか否かを判定する判定部１９と、判定結果に応じて所定の入力指示を行う入力指示制御部２０ａと、入出力インタフェース１８を介したデータ群の入力を制御するデータ群入力制御部２０ｂとを少なくとも備える。入力指示制御部２０ａは、判定部１９によってデータ群に対応した識別データが存在しないと判定された場合に、表示部２４に識別データの入力を促す入力指示メッセージを表示し、データ群入力制御部２０ｂは、入力指示メッセージにもかかわらず新たに識別データの入力がなされなかった場合に、対応するデータ群の入力を停止する機能を有する。【選択図】        図３
2006061627.tif 000002
【特許請求の範囲】
【請求項１】
１以上のデータ群を外部装置から入力し、入力したデータ群に対して所定の処理を行うデータ処理装置であって、
入力の際に、前記データ群の識別に使用される識別データが前記外部装置に記録されているか否かの判定を行う判定手段と、
前記データ群に対応した識別データが前記外部装置に記録されていない場合に、当該データ処理装置の使用者に対して識別データの入力を指示する入力指示手段と、
を備えたことを特徴とするデータ処理装置。
【請求項２】
前記データ群と対応した前記識別データが前記外部装置に記録されておらず、前記入力手段の指示に応じて新たな識別データの入力が行われなかった場合に、前記データ入力インタフェースを介した前記データ群の入力を停止するよう制御するデータ入力制御手段をさらに備えたことを特徴とする請求項１に記載のデータ処理装置。
【請求項３】
前記データ群を形成するデータは、受信装置において受信された無線信号に基づき生成されたものであり、
前記受信装置が継続的に駆動した期間に生成された１以上のデータを同一のデータ群として特定するデータ群特定手段をさらに備え、
前記判定手段は、前記データ群特定手段が特定したデータ群ごとに、対応した識別データが記録されているか否かの判定を行い、
前記入力指示手段は、対応した識別データが記録されていないデータ群が１以上存在する場合に所定の入力指示を行うことを特徴とする請求項１または２に記載のデータ処理装置。
【請求項４】
前記データ群特定手段は、前記受信装置における駆動開始および駆動停止の回数に基づき前記データ群の個数を特定することを特徴とする請求項３に記載のデータ処理装置。
【請求項５】
前記外部装置には、記録したデータの生成時刻に関する情報として生成時刻データがさらに記録され、
前記データ処理装置は、前記生成時刻データに基づき複数の前記データを１以上のデータ群として特定するデータ群特定手段を新たに備え、
前記判定手段は、前記データ群特定手段が認識した前記データ群ごとに対応した識別データが前記外部装置に記録されているか否かの判定を行うことを特徴とする請求項１または２に記載のデータ処理装置。
【請求項６】
前記データ群特定手段は、直前に生成されたデータの生成時刻との時間間隔が所定の閾値を超えたデータを検出し、検出したデータおよび該データよりも後に生成されたデータが、直前に生成された前記データと異なるデータ群に属するものと判定することを特徴とする請求項５に記載のデータ処理装置。
【請求項７】
被検体内に導入され、所定の被検体内情報を取得し、該被検体内情報を含む無線信号を送信する被検体内導入装置と、前記無線信号を受信する受信装置と、該受信装置によって受信された信号に基づく１以上のデータ群を処理するデータ処理装置とを備えた被検体内導入システムであって、
前記データ処理装置は、
入力の際に、前記データ群の識別に使用される識別データが前記外部装置に記録されているか否かの判定を行う判定手段と、
前記データ群に対応した識別データが前記外部装置に記録されていない場合に、当該データ処理装置の使用者に対して識別データの入力を指示する入力指示手段と、
を備えたことを特徴とする被検体内導入システム。
【発明の詳細な説明】
【技術分野】
【０００１】
本発明は、所定のデータを含む１以上のデータ群を外部装置から入力し、入力したデータ群に対して所定の処理を行うデータ処理装置およびデータ処理装置を用いた被検体内導入システムに関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部に設けられた受信装置によって受信され、所定の処理が施された上で保存される。このように受信機構、信号処理機構および記憶機構を備えた受信装置を携帯した状態で使用することにより、被検体は、カプセル型内視鏡を飲み込んだ後、排出されるまでの間に渡って、自由に行動できる。そして、従来のカプセル型内視鏡システムでは、カプセル型内視鏡が排出された後、メモリに蓄積された画像データに基づいて臓器の画像をディスプレイに表示させて医者もしくは看護士による診断が行われることとなる（例えば、特許文献１参照）。
【０００４】
ところで、かかるカプセル型内視鏡システムを用いた診断等を行う場合には、ディスプレイ等に画像表示を行う前段階として、受信装置を介して取得された多数の画像データに対してデータ処理装置によって所定の処理を施すのが通常である。具体的には、データ処理装置は、例えば受信装置から取得した多数の画像データに関して患者毎または／および検査毎に分類した後、医師等が指定した患者または／および検査に関する画像データのうち、特定部位に対応した画像データを表示する等の処理を行っている。
【０００５】
【特許文献１】特開２００３−１９１１１号公報
【発明の開示】
【発明が解決しようとする課題】
【０００６】
しかしながら、従来のカプセル型内視鏡システムでは、処理装置における処理を適切に行えないおそれがあるという課題がある。上述したように、従来のシステムに備わるデータ処理装置は、多数取得された画像データを、診断の便宜等の観点から患者毎または／および検査毎に分類した後に所定の処理を行うこととしている。かかる分類を行うにあたっては、従来のカプセル型内視鏡システムにおいて、カプセル型内視鏡を被検体内に導入するに先だって、受信装置に患者データおよび検査データを入力し、取得される画像データは、かかる患者データ等と対応した状態で受信装置に記憶される構成を採用する必要がある。
【０００７】
このような観点からは、例えば、受信装置を使用する際には常に患者データおよび検査データを事前に入力することとし、これらのデータが入力されていない場合には受信装置が使用不能となるようなシステム設計を行うことが好ましい。しかしながら、かかるシステムの場合には急病人に対する迅速な検査等に支障を来すおそれが生じることとなるという問題が新たに生じる。すなわち、病院等において、救急車によって搬送された急病人に関して、対応する患者データが病院内に用意されていないのが通常であり、上述のシステム設計を採用した場合には、検査直前に機器が故障した際に、改めて患者データの設定・入力等を行わなくてはならず、妥当ではない。従って、従来のカプセル型内視鏡システムでは、原則として患者データ等を前もって入力するものの、かかるデータ入力がなされていない場合であっても被検体内画像データの取得が可能な構成を採用せざるを得なかった。従って、従来のカプセル型内視鏡システムでは、患者データ等が事前に入力されていないことによって、データ処理装置上で必要な画像データを見つけられない等の不具合が生じる可能性が残存し、診断等に支障を来す可能性が依然として生じていた。また、単にカプセル型内視鏡が体外に排出された後に、事後的に患者データ等を入力可能な構成を採用した場合であっても、通常状態では事前に患者データ等の入力が行われることから、取得した被検体内画像データをデータ処理装置に入力する際には事後的なデータ入力を行うことを失念する可能性が高く、後日に診断等を行う際に初めて不具合に気づくことになり、診断等における不具合を回避する手法としては充分ではない。
【０００８】
本発明は、上記に鑑みてなされたものであって、カプセル型内視鏡システム等に用いられ、１以上のデータ群を外部装置から入力し、入力したデータ群に対して所定の処理を行うデータ処理装置において、処理対象となるデータ群に関して対応する識別データを確実に取得する処理装置および処理装置を含む被検体内導入システムを実現することを目的とする。
【課題を解決するための手段】
【０００９】
上述した課題を解決し、目的を達成するために、請求項１にかかるデータ処理装置は、１以上のデータ群を外部装置から入力し、入力したデータ群に対して所定の処理を行うデータ処理装置であって、入力の際に、前記データ群の識別に使用される識別データが前記外部装置に記録されているか否かの判定を行う判定手段と、前記データ群に対応した識別データが前記外部装置に記録されていない場合に、当該データ処理装置の使用者に対して識別データの入力を指示する入力指示手段とを備えたことを特徴とする。
【００１０】
この請求項１の発明によれば、入力されるデータ群に対応した識別データが存在するか否かを判定する判定手段および識別データが存在しない場合に入力指示を行う入力指示手段を備えたこととしたため、対応する識別データが事前に記録されなかったデータ群に関して、事後的な入力の確実性を向上させることができる。
【００１１】
また、請求項２にかかるデータ処理装置は、上記の発明において、前記データ群と対応した前記識別データが前記外部装置に記録されておらず、前記入力手段の指示に応じて新たな識別データの入力が行われなかった場合に、前記データ入力インタフェースを介した前記データ群の入力を停止するよう制御するデータ入力制御手段をさらに備えたことを特徴とする。
【００１２】
また、請求項３にかかるデータ処理装置は、上記の発明において、前記データ群を形成するデータは、受信装置において受信された無線信号に基づき生成されたものであり、前記受信装置が継続的に駆動した期間に生成された１以上のデータを同一のデータ群として特定するデータ群特定手段をさらに備え、前記判定手段は、前記データ群特定手段が特定したデータ群ごとに、対応した識別データが記録されているか否かの判定を行い、前記入力指示手段は、対応した識別データが記録されていないデータ群が１以上存在する場合に所定の入力指示を行うことを特徴とする。
【００１３】
また、請求項４にかかるデータ処理装置は、上記の発明において、前記データ群特定手段は、前記受信装置における駆動開始および駆動停止の回数に基づき前記データ群の個数を特定することを特徴とする。
【００１４】
また、請求項５にかかるデータ処理装置は、上記の発明において、前記外部装置には、記録したデータの生成時刻に関する情報として生成時刻データがさらに記録され、前記データ処理装置は、前記生成時刻データに基づき複数の前記データを１以上のデータ群として特定するデータ群特定手段を新たに備え、前記判定手段は、前記データ群特定手段が認識した前記データ群ごとに対応した識別データが前記外部装置に記録されているか否かの判定を行うことを特徴とする。
【００１５】
また、請求項６にかかるデータ処理装置は、上記の発明において、前記データ群特定手段は、直前に生成されたデータの生成時刻との時間間隔が所定の閾値を超えたデータを検出し、検出したデータおよび該データよりも後に生成されたデータが、直前に生成された前記データと異なるデータ群に属するものと判定することを特徴とする。
【００１６】
また、請求項７にかかる被検体内導入システムは、被検体内に導入され、所定の被検体内情報を取得し、該被検体内情報を含む無線信号を送信する被検体内導入装置と、前記無線信号を受信する受信装置と、該受信装置によって受信された信号に基づく１以上のデータ群を処理するデータ処理装置とを備えた被検体内導入システムであって、前記データ処理装置は、入力の際に、前記データ群の識別に使用される識別データが前記外部装置に記録されているか否かの判定を行う判定手段と、前記データ群に対応した識別データが前記外部装置に記録されていない場合に、当該データ処理装置の使用者に対して識別データの入力を指示する入力指示手段とを備えたことを特徴とする。
【発明の効果】
【００１７】
本発明にかかるデータ処理装置および被検体内導入システムは、入力されるデータ群に対応した識別データが存在するか否かを判定する判定手段および識別データが存在しない場合に入力指示を行う入力指示手段を備えたこととしたため、対応する識別データが事前に記録されなかったデータ群に関して、事後的な入力の確実性を向上させることができるという効果を奏する。
【発明を実施するための最良の形態】
【００１８】
以下、この発明を実施するための最良の形態（以下、単に「実施の形態」と称する）であるデータ処理装置およびデータ処理装置を含む被検体内導入システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。
【００１９】
（実施の形態１）
まず、実施の形態１にかかる被検体内導入システムについて説明する。図１は、本実施の形態１にかかる被検体内導入システムの全体構成を示す模式図である。図１に示すように、本実施の形態１にかかる被検体内導入システムは、被検体１の内部に導入されて所定の通過経路に沿って移動するカプセル型内視鏡２と、カプセル型内視鏡２から送信された、被検体内情報を含む無線信号を受信する受信装置３と、受信装置３によって受信された無線信号に含まれる被検体内情報の内容を表示するデータ処理装置４と、受信装置３とデータ処理装置４との間の情報の受け渡しを行うための携帯型記録媒体５と、受信装置３に接続された受信アンテナ６ａ〜６ｈとを備える。
【００２０】
カプセル型内視鏡２は、被検体１内に導入されて被検体１内部の画像を取得するためのものである。具体的には、カプセル型内視鏡２は、被検体１内に導入が容易な小型カプセル状の外形を有すると共に、内部に被検体内画像を撮像する撮像機構と、撮像機構によって取得された画像データを含む無線信号を送信する無線送信機構とを備えた構成を有する。
【００２１】
携帯型記録媒体５は、特許請求の範囲における外部装置の一例として機能するものである。具体的には、携帯型記録媒体５は、受信装置３およびデータ処理装置４に対して着脱可能であって、両者に対する装着時に情報の出力および記録が可能な構造を有する。すなわち、携帯型記録媒体５は、カプセル型内視鏡２が被検体１の体腔内を移動している間は受信装置３に装着されて被検体内画像を記憶する。そして、カプセル型内視鏡２が被検体１から排出された後に、受信装置３から取り出されてデータ処理装置４に装着され、記録したデータがデータ処理装置４によって読み出される構成を有する。受信装置３とデータ処理装置４との間のデータの受け渡しをコンパクトフラッシュ（登録商標）メモリ等の携帯型記録媒体５によって行うことで、受信装置３とデータ処理装置４との間が有線接続された場合と異なり、カプセル型内視鏡２が被検体１内部を移動中であっても、被検体１が自由に行動することが可能となる。
【００２２】
受信アンテナ６ａ〜６ｈは、例えばループアンテナを用いて形成される。かかるループアンテナは、被検体１の体表面の所定の位置に固定された状態で使用され、受信アンテナ６ａ〜６ｈは、好ましくはループアンテナを被検体１の体表面に固定するための固定手段を備える。
【００２３】
次に、受信装置３について説明する。受信装置３は、カプセル型内視鏡２から送信された無線信号を受信し、受信した無線信号に対して所定の処理を施すことによって携帯型記録媒体５（外部装置）に記録されるデータを生成する機能を有する。
【００２４】
図２は、受信装置３の構成を示す模式的なブロック図である。図２に示すように、受信装置３は、複数存在する受信アンテナ６ａ〜６ｈの中から無線信号の受信に適したものを選択するアンテナ選択部９と、アンテナ選択部９によって選択された受信アンテナ６を介して受信された無線信号に対して復調等の受信処理を行う受信回路１０と、処理が施された信号に基づき被検体内画像データ（特許請求の範囲におけるデータ群を構成するデータの一例として機能する）を生成する信号処理部１１とを備える。また、受信装置３は、識別データの入力に使用される識別データ入力部１２と、被検体内画像データおよび識別データの出力等を行う入出力インタフェース１３とを備える。さらに、受信装置３は、各構成要素の駆動状態の制御等を行う制御部１４と、受信回路１０から出力されたアナログの受信強度信号をディジタル信号に変換して制御部１４に出力するＡ／Ｄ変換部１５と、受信装置３の各構成要素に対して駆動電力を供給する電力供給部１６とを備える。
【００２５】
アンテナ選択部９は、複数配置された受信アンテナ６ａ〜６ｈの中から無線信号の受信に適したアンテナを選択するためのものである。具体的には、アンテナ選択部９は制御部１４の制御に基づきアンテナを選択する機能を有し、選択した受信アンテナを介して受信された無線信号を受信回路１０に出力する機能を有する。なお、アンテナ選択の際に制御部１４は、Ａ／Ｄ変換部１５を介して入力された、受信アンテナ６ａ〜６ｈのそれぞれを介して受信された無線信号に応じたＲＳＳＩ(Received Signal Strength Indicator  :受信信号強度表示信号)に基づき受信に最適なアンテナを決定し、アンテナ選択部９に対して出力する。
【００２６】
入出力インタフェース１３は、信号処理部１１によって生成された被検体内画像データと、識別データ入力部１２を介して入力された識別データとを携帯型記録媒体５に記録するためのものである。具体的には、入出力インタフェース１３は、携帯型記録媒体５が受信装置３に装着されている間、制御部１４から出力された被検体内画像データ等を携帯型記録媒体５に記録する機能を有する。
【００２７】
本実施の形態１において、カプセル型内視鏡２は、被検体１内に導入された後、再び被検体１の外部に排出されるまでの数時間〜十数時間に渡って被検体内画像の撮像を継続的に行い、撮像した被検体内画像データを含む無線信号を送信する機能を有する。このことに対応して、信号処理部１１は多数の被検体内画像データを出力することとなり、入出力インタフェース１３は、携帯型記録媒体５に対して制御部１４を介して入力される多数の被検体内画像データをデータ群として記録することとなる。
【００２８】
識別データ入力部１２は、上記のデータ群を他のデータ群と識別するための識別データを入力するためのものである。後述するデータ処理装置４では、複数の検査によって取得された複数のデータ群をまとめて処理する機能を有することから、医師の診断等に混乱が生じることを回避するため、データ群ごとに対応する識別データを記憶することとしている。識別データの具体的な内容としては、被検体１に関する情報、例えば患者ＩＤと、検査に応じた検査ＩＤとを含むこととする。
【００２９】
なお、識別データ入力部１２の構成としては、キーボード等を備えることによって医師等が直接識別データを入力する構成としても良いが、本実施の形態１においては、識別データ入力部１２は、データ処理装置４に備わる入力部２３等（後述）を介して入力された識別データを入力する構成を有する。具体的には、識別データ入力部１２は、例えば入力インタフェースのような構成を有し、カプセル型内視鏡２を被検体１に導入する前において、例えば受信装置３とデータ処理装置４とを有線接続することによって識別データを入力する構成を有する。
【００３０】
次に、データ処理装置４について説明する。本実施の形態１において、データ処理装置４は、１以上の被検体内画像データによって構成されるデータ群に対して所定の処理を行うためのものである。
【００３１】
図３は、データ処理装置４の構成を示す模式的なブロック図である。図３に示すように、データ処理装置４は、携帯型記録媒体５に対してデータの入出力を行うための入出力インタフェース１８と、入出力インタフェース１８を介して入力されるデータ中にデータ群に対応した識別データが含まれるか否かを判定する判定部１９と、データ処理装置４の各構成要素の駆動状態等を制御する制御部２０と、入力されたデータ群およびデータ群に対応した識別データを記憶する記憶部２１と、入力されたデータ群に対して所定の処理を行うデータ処理部２２とを備える。また、データ処理装置４は、識別データ等を入力するための入力部２３と、データ群に含まれる被検体内画像データや、後述するように使用者に対して識別データの入力を促すメッセージ等を表示する表示部２４とを備える。
【００３２】
判定部１９は、外部装置の一例たる携帯型記録媒体５がデータ群に対応した識別データを記録しているか否かの判定を行うためのものである。上述したように、携帯型記録媒体５は、識別データ入力部１２を介して入力された識別データを記録する機能を有することから、判定部１９は、かかる識別データが実際に記録されているか否かを判定する機能を有する。また、判定部１９は、判定結果を制御部２０に対して出力する機能を有し、後述する表示部２４による入力指示を行うか否かの判断材料として用いられることとなる。
【００３３】
制御部２０は、各構成要素の駆動状態等に関して制御を行うためのものである。具体的には、制御部２０は、一般的な制御を行う機能を有する他に、判定部１９の判定結果に基づき入力指示メッセージを生成する入力指示制御部２０ａと、携帯型記録媒体５に記録されたデータ群を当該データ処理装置４に入力するか否か、より具体的にはデータ群を記憶部２１に記憶させるか否かの判定を行うデータ群入力制御部２０ｂとを備えた構成を有する。
【００３４】
データ処理部２２は、入力されたデータ群を構成する被検体内画像データ等に対して所定の処理を行うためのものである。具体的には、データ処理部２２は、例えば識別データ毎にデータ群をまとめて管理し、使用者が検査情報等を入力した際に、対応する識別データを抽出すると共に識別データに対応したデータ群を画面上に表示する等の処理を行う機能を有する。
【００３５】
入力部２３は、識別データ等を入力するためのものである。具体的には、入力部２３は、キーボード、ポインティングデバイス等によって構成されており、使用者は、かかるキーボード等を介して識別データを入力する。また、入力部２３の構成として、入出力インタフェースのようなものを採用し、あらかじめ識別データを記憶しているデータベース等から識別データを入力することとしても良い。
【００３６】
表示部２４は、被検体内画像データ等を視覚的に表示する機能を有すると共に、所定の指示メッセージを表示することによって、特許請求の範囲における入力指示手段の一例として機能するものである。具体的には、表示部２４は、ＣＲＴディスプレイや、液晶ディスプレイ等によって構成されており、所定の画像データ等を視覚的に表示する機能を有し、制御部２０を介して入力された被検体内画像データや、入力指示ウィンドウを視覚的に表示する機能を有する。
【００３７】
次に、本実施の形態１におけるデータ処理装置４の動作について説明する。図４は、データ処理装置４の動作を説明するためのフローチャートであり、以下、図４を参照しつつデータ処理装置４の動作の説明を行う。なお、データ処理装置４は、携帯型記録媒体５に複数のデータ群が記録されていた場合でも動作することが可能であるが、以下の説明では理解を容易にするため、携帯型記録媒体５には単一のデータ群が記録されている例について説明を行う。
【００３８】
まず、判定部１９によって、携帯型記録媒体５に記録されたデータ中にデータ群に対応した識別データが存在するか否かの判定を行い、判定結果が制御部２０に出力される（ステップＳ１０１）。識別データが存在する場合には（ステップＳ１０１，Ｙｅｓ）、後述するステップＳ１０４に移行する。一方、識別データが存在しない場合には（ステップＳ１０１，Ｎｏ）、制御部２０に備わる入力指示制御部２０ａによって入力指示メッセージが生成され、表示部２４に識別データ入力指示が表示される（ステップＳ１０２）。
【００３９】
その後、入力部２３を介して新たに識別データが入力されたか否かが判定され（ステップＳ１０３）、入力された場合には（ステップＳ１０３，Ｙｅｓ）、データ群入力制御部２０ｂの制御によりデータ群が入力され、新たに入力された識別データと対応づけた状態で記憶部２１に記憶される（ステップＳ１０４）。一方、識別データが新たに入力されなかった場合には（ステップＳ１０３，Ｎｏ）、データ群入力制御部２０ｂは、データ群の入力を停止し、携帯型記録媒体５に記録されたデータ群は、記憶部２１に記録されることはない（ステップＳ１０５）。以上の工程を経て記憶部２１には対応する識別データが存在するデータ群のみが記録され、かかるデータ群を用いてデータ処理部２２による処理および表示部２４による画像表示が行われることとなる。
【００４０】
図５は、ステップＳ１０２において表示部２４に表示される入力指示メッセージの一例について示す模式図である。図５に示す例においては、対象となるデータ群に関して、カプセル型内視鏡２を用いた検査が行われた日時が表示されると共に「識別データを入力してください」という入力指示メッセージが表示され、識別データの一態様として患者ＩＤ、検査ＩＤおよび患者の年齢および性別の入力を要求するウィンドウが表示部２４上に表示される。使用者は、検査日等を手がかりに患者ＩＤ等を入力し、マウス等のポインティングデバイスを用いて「ＯＫ」ボタンをクリックすることにより、事後的な識別データの入力が完了する。なお、入力指示の態様としては、図５のように「識別データを入力してください」といった直接的なメッセージを表示する例に限られず、例えば単に識別データの入力欄を備えたウィンドウを画面上に表示することとしても良い。より具体的には、使用者が識別データの入力が支持されている、と認識できるものであれば入力指示メッセージとして機能することは可能であるため、例えばマニュアル等であらかじめ定義しておいた上で、単に警告表示のみを表示部２４に表示することとしても良い。
【００４１】
次に、本実施の形態１にかかる被検体内導入システムの利点について説明する。まず、本実施の形態１にかかる被検体内導入システムでは、データ処理装置４が識別データの入力を指示する入力指示手段としての表示部２４を備えた構成を有する。すなわち、データ処理装置４は、事前に識別データの入力がなされることなくカプセル型内視鏡２を用いて取得した画像データからなるデータ群を入力する際に、表示部２４が識別データの入力を指示するメッセージを表示することとしている。このようなメッセージを表示する構成を採用することによって、緊急時等のように事前に識別データを入力することなく検査が行われた場合であっても、医師等の使用者が事後に識別データを入力する確実性が向上し、識別データが存在しないことによってデータ群のデータ処理の際に生じる不具合を回避できるという利点を有する。
【００４２】
また、データ処理装置４は、データ群入力制御部２０ｂの作用によって、表示部２４による識別データの入力を指示するメッセージの表示に対応して、新たに識別データが表示された場合にのみ記憶部２１にデータ群を記録し、新たな識別データが入力されなかった場合には対応するデータ群を記録しないこととしている。このため、データ処理装置４によって処理されるデータ群は、すべて対応する識別データが存在することとなり、データ処理装置４を用いた医師の診断等における混乱を回避することが可能である。
【００４３】
さらに、本実施の形態１では、特許請求の範囲における入力指示手段の機能を、表示部２４によって実現した構成を有する。本実施の形態１において、受信装置３によって取得され、携帯型記録媒体５に記録された被検体内画像データは、データ処理装置４の動作を制御することによってデータ処理装置４に備わる記憶部２１に記憶される。そして、データ処理装置４は表示部２４を備えており、使用者は表示部２４に表示される内容を確認しつつ処理装置４の動作の制御を行うのが通常である。従って、表示部２４上に識別データの入力指示メッセージを表示することにより、使用者は容易に入力指示を認識することが可能となり、事後的な識別データの入力の確実性をさらに向上させることが可能であるという利点を有する。
【００４４】
（実施の形態２）
次に、実施の形態２にかかる被検体内導入システムについて説明する。本実施の形態２にかかる被検体内導入システムは、受信装置において、受信装置内部の処理内容を記録するための機構を備えることとし、データ処理装置において、かかる処理内容に基づきデータ群の特定を行う構成を採用している。なお、以下の説明において、カプセル型内視鏡２等の図示および説明を省略するが、実施の形態１と同様に、本実施の形態２にかかる被検体内導入システムは、カプセル型内視鏡２、携帯型記録媒体５および受信アンテナ６ａ〜６ｈを備えることとする。また、実施の形態１と同様の符号、名称を付したものは、以下で特に言及しない限り、実施の形態１と同様の構成、機能を有することとする。
【００４５】
図６は、本実施の形態２にかかる被検体内導入システムに備わる受信装置２６の構成を示す模式的なブロック図であり、図７は、データ処理装置２７の構成を示す模式的なブロック図である。図６に示すように、受信装置２６は、実施の形態１における受信装置３と同様にアンテナ選択部９、受信回路１０、信号処理部１１、識別データ入力部１２、Ａ／Ｄ変換部１５および電力供給部１６を備えた構成を有する。一方で、受信装置３６は、内部の構成要素の動作状況の記録である動作ログを生成するための動作ログ生成部２８を新たに備え、これに対応した駆動スイッチ２９、制御部３０および記憶部３１を備える。
【００４６】
動作ログ生成部２８は、受信装置２６内部に備わる各構成要素における動作状況の記録としての動作ログを生成するためのものである。具体的には、動作ログ生成部２８は、制御部３０を介して入力される各構成要素の動作状況に基づき動作ログを生成し、制御部３０を介して記憶部３１に対して出力する機能を有する。なお、動作ログの内容としては、少なくとも受信装置２６の駆動状態に関する情報、より具体的には、少なくとも受信装置２６のオン・オフがなされた回数が含まれることとする。
【００４７】
駆動スイッチ２９は、実施の形態１における駆動スイッチ１７と同様に、電力供給部１６による駆動電力の供給を制御するためのものである。すなわち、ユーザの指示等によって駆動スイッチ２９がオン状態となった場合には、電力供給部１６による駆動電力の供給が開始され、駆動スイッチ２９がオフ状態となった場合には、電力供給部１６からの駆動電力の供給が停止される。また、駆動スイッチ２９は、オン・オフに関する情報を制御部３０に出力する機能を有する。
【００４８】
制御部３０は、実施の形態１における制御部１４の機能に加え、動作ログ生成部２８に所定の動作状況に関するデータを出力する機能を有する。本実施の形態２においては、制御部２０は、動作ログ生成部２８に対して少なくとも駆動スイッチ２９を介して入力される受信装置２６の駆動状態を出力する機能を有すると共に、動作ログ生成部２８によって生成された動作ログを記憶部３１に対して出力する機能を有する。また、記憶部３１は、実施の形態１における入出力インタフェース１３の機能に加えて、新たに動作ログを記録する機能を有する。
【００４９】
次に、データ処理装置２７について説明する。図７に示すように、データ処理装置２７は、実施の形態１と同様に入出力インタフェース１８、データ処理部２２、入力部２３および表示部２４を備える。その一方で、データ処理装置２７は、携帯型記録媒体５に記録されている複数の被検体内画像データによって構成される１以上のデータ群を特定するデータ群特定部３２と、データ群特定部３２によって特定された１以上のデータ群のそれぞれに関して対応する識別データが記録されているか否かを判定する判定部３３と、判定部３３によって得られた判定結果に基づきそれぞれのデータ群に対応した処理を行う制御部３４と、それぞれのデータ群に関してデータを記憶する記憶部３５とを備える。
【００５０】
データ群特定部３２は、携帯型記録媒体５に記録された多数の被検体内画像データに関して、それぞれが属するデータ群を特定するためのものである。具体的には、データ群特定部３２は、受信装置２６の備わる動作ログ生成部２８によって生成され、記憶部３１を介して携帯型記録媒体５に記録された動作ログの内容に基づき、携帯型記録媒体５に記録された多数の被検体内画像データが属するデータ群を特定する機能を有する。データ群特定部３２における処理動作に関しては、後に詳細に説明する。
【００５１】
判定部３３は、データ群特定部３２によって特定された１以上のデータ群に対して、それぞれ対応する識別データが携帯型記録媒体５に記録されているか否かの判定を行うためのものである。それぞれのデータ群に対する判定処理は、実施の形態１と同様のものとしても良いし、異なる別の手法を用いることとしても良い。
【００５２】
制御部３４は、実施の形態１における制御部２０と同様に、各構成要素の動作等を一般的に制御する機能を有する他に、判定部３３によって取得される判定結果および入力部２３からの識別データの入力結果に基づき所定の処理を行う機能を有する。具体的には、制御部３４は、データ群特定部３２によって特定された複数のデータ群のいずれかに対応した識別データが存在しないと判定された場合にデータ入力指示を表示部２４に表示させるための入力指示制御部３４ａと、データ入力指示を表示させた後に、入力部２３を介した識別データの入力の有無に応じて携帯型記録媒体５に記録されたデータ群を記憶部３５に記録するか否かの制御を行うデータ群入力制御部３４ｂとを備える。
【００５３】
記憶部３５は、実施の形態１における記憶部２１と同様に、入出力インタフェース１８を介して入力されるデータ等を記憶するためのものである。本実施の形態３においては、記憶部３５は、複数のデータ群および複数のデータ群のそれぞれに対応した識別データを少なくとも記録する機能を有する。
【００５４】
次に、データ群特定部３２の処理動作について説明する。図８は、データ群特定部３２の処理動作を示すフローチャートであり、以下図８を参照しつつ説明を行う。まず、データ群特定部３２は、携帯型記録媒体５に記録された動作ログの内容を入力し（ステップＳ２０１）、記録された動作内容の中から、駆動スイッチ２９のオン・オフが行われた回数をカウントする（ステップＳ２０２）。そして、データ群特定部３２は、オン・オフの回数に応じて携帯型記録媒体５に記録された多数の被検体内画像データが属することとなるデータ群の数を特定し、被検体内画像データのそれぞれがいずれのデータ群に属するかを特定する（ステップＳ２０３）。その後、データ群特定部３２は、データ群の個数および各被検体内画像データがいずれのデータ群に属するかの情報を判定部３３および制御部３４に出力する（ステップＳ２０４）。以上でデータ群特定部３２の処理動作は終了する。
【００５５】
その後は、実施の形態１のステップＳ１０１〜Ｓ１０５と同様の処理が行われる。具体的には、判定部３３は、入力されたデータ群特定結果に基づき、それぞれのデータ群に対応して識別データが記録されているか否かの判定を行い、判定結果を制御部３４に出力する。制御部３４は、対応する識別データが記録されていないデータ群に関して、入力指示制御部３４ａによって表示部２４に入力指示メッセージを表示させる。そして、制御部３４に備わるデータ群入力制御部３４ｂは、かかるメッセージに対応して入力部２３を介して新たに識別データが入力された場合に、携帯型記録媒体５に記録されたデータ群を、入出力インタフェース１８を介して入力し、記憶部３５に記録されるよう所定の制御を行う。
【００５６】
次に、本実施の形態２にかかる被検体内導入システムの利点について説明する。まず、本実施の形態２にかかる被検体内導入システムは、表示部２４によって実施の形態１と同様にデータ群に対応する識別データが記録されていない場合に識別データの入力指示メッセージを表示し、入力指示メッセージに対して新たに識別データの入力があった場合にのみデータ群を記録することとしている。従って、本実施の形態２にかかる被検体内導入システムは、実施の形態１と同様に、対応する識別データが存在しないことによるデータ処理および医師の診断等における不具合を回避することができるという利点を有する。
【００５７】
また、本実施の形態２にかかる被検体内導入システムは、データ群特定部３２を新たに備える。データ群特定部３２は、被検体内画像データの生成時刻に対応した時刻データに基づきデータ群の特定を行うこととしており、本来異なるデータ群として扱われるべきであるにもかかわらず、例えば識別データが一つしか記録されていないが故に同一のデータ群として処理されてしまう等の弊害を回避することを可能としている。
【００５８】
すなわち、従来の被検体内導入システムでは、識別データ以外に、複数のデータ群の存在を示すデータは記録されていないのが通常である。従って、同一の携帯型記録媒体５に対して、異なる複数の検査等によって取得された別種の被検体内画像データが記録され、かつそれぞれに対して適切な識別データが記録されていない場合には、すべての被検体内画像データが同一データ群に属するものと誤認され、本来は異なる検査の際に取得された被検体内画像データを用いた診断が行われてしまうおそれがある。かかる弊害を防止するためには、携帯型記録媒体５に記録されている被検体内画像データに関して、あらかじめデータ群の特定を行い、特定した１以上のデータ群に対して識別データの有無の判定等を行う必要がある。
【００５９】
一方で、近年の被検体内導入システムでは、受信装置が故障した場合に故障内容を特定する等の理由に基づき、動作ログを記録する構成を採用するのが一般的である。本実施の形態２では、かかる動作ログを有効に活用することによって、同一の携帯型記録媒体５に複数の検査等によって取得された、別種の被検体内画像データが記録されている場合であっても、それぞれが異なるデータ群に属するものと認識することを可能としている。
【００６０】
一般的な被検体内導入システムの使用においては、カプセル型内視鏡２を導入して行われる被検体内画像データの取得中は、受信装置２６に備わる駆動スイッチ２９のオン・オフが繰り返されることはなく、オン状態を維持した状態で被検体内画像データの取得が行われるのが一般的である。従って、動作ログにおいて、駆動スイッチ２９の動作状況として検査開始時のオンと、検査終了時のオフのみが記録されている場合には、携帯型記録媒体５に記録されている多数の被検体内画像データは、同一の検査等に伴い取得されたものであって、同一データ群に属するものと推定することが可能である。
【００６１】
一方で、動作ログにおいて、駆動スイッチ２９のオン・オフが複数回記録されている場合には、異なる複数回の検査が行われている可能性が高い。すなわち、受信装置２６の駆動状態をオン状態に維持したまま複数の検査に使用することは通常考えにくく、異なる検査に同一の携帯型記録媒体５を装着した受信装置２６を使用した場合には、検査を切り替えるにあたって受信装置２６の駆動状態を一度オフ状態とし、その後に再びオン状態に変化させて使用するのが自然である。
【００６２】
かかる原理に基づいて、本実施の形態２では、オン・オフの回数に基づくデータ群の特定を行うこととしている。すなわち、データ群特定部３２は、動作ログに記録されたオン・オフの回数だけ、異なる検査等に応じた複数のデータ群が存在するものと特定し、かかる特定結果を判定部３３および制御部３４に出力している。かかる構成を採用することによって、本実施の形態２にかかる被検体内導入システムは、異なる検査等に対応した被検体内画像データを同一検査によって得られたものと誤認し、診断等に支障を来すことを回避できるという利点を有する。
【００６３】
なお、同一検査中に被検体１等が故意または過失によって駆動スイッチ２９を複数回オン・オフすることも考えられるが、本実施の形態２では、かかる場合に生じうる不具合についても対処が可能である。すなわち、本実施の形態２では、実施の形態１と同様に、複数のデータ群のうち対応する識別データが携帯型記録媒体５に記録されていない場合には、入力指示制御部３４ａの制御によって識別データの入力を促すメッセージが表示部２４上に表示される。従って、同一検査中に複数回のオン・オフを繰り返したような場合であっても、入力指示に対して、初期設定の際に受信装置２６に対して入力された識別データと同じ識別データを入力することによって、データ処理上は、同一のデータ群として処理することが可能である。かかる構成により、実際には同一のデータ群に属するべきであるにもかかわらずオン・オフが複数回行われた場合であっても、結局は同一のデータ群として認識されることとなり、診断等において不具合が生じることを回避することが可能である。
【００６４】
（実施の形態３）  
次に、実施の形態３にかかる被検体内導入システムについて説明する。本実施の形態３にかかる被検体内導入システムは、外部装置としての携帯型記録媒体５が異なる検査等に対応した複数のデータ群を記録している場合に、データ処理装置において、被検体内画像データの生成時刻に基づきデータ群の数およびそれぞれのデータ群に属する被検体内画像データを特定する構成を有する。
【００６５】
図９は、本実施の形態３にかかる被検体内導入システムを構成する受信装置３６の構成を示すブロック図であり、図１０は、同じく本実施の形態３にかかる被検体内導入システムを構成するデータ処理装置３７の構成を示すブロック図である。なお、本実施の形態３においてカプセル型内視鏡２および携帯型記録媒体５に関しては図示および詳細な説明について省略するが、このことは本実施の形態３においてこれらの構成要素を含まないとする趣旨ではないことはもちろんである。また、図９および図１０等において、実施の形態１と同様の符号・名称を有する構成要素は、以下で特に言及しない限り、実施の形態１と同様の構成・作用を有するものとする。
【００６６】
図９に示すように、受信装置３６は、実施の形態１における受信装置３と同様にアンテナ選択部９、受信回路１０、信号処理部１１、識別データ入力部１２、Ａ／Ｄ変換部１５、電力供給部１６および駆動スイッチ１７を備える。一方で、受信装置３６は、データ群を構成する被検体内画像データの記録時を計測するための計時部３８を新たに備え、かかる計時部３８に対応して、時刻データを扱う機能を有する制御部３９と、時刻データを記憶する記憶部４０とを備えた構成を有する。
【００６７】
計時部３８は、被検体内画像データが信号処理部１１から出力された時刻を検出するためのものである。具体的には、計時部３８は、制御部３９の制御に基づき信号処理部１１によって被検体内画像データが生成され、制御部３９に対して出力された時刻としての時刻データを制御部３９に対して出力する機能を有する。
【００６８】
制御部３９は、実施の形態１における制御部１４の機能に加え、新たに計時部３８から出力される時刻データに関しても処理する機能を有する。具体的には、制御部３９は、信号処理部１１によって入力された被検体内画像データを、入出力インタフェース１３を介して携帯型記録媒体５に記録する際に、計時部３８から時刻データを取得し、かかる時刻データを被検体内画像データと対応づけた形で出力する機能を有する。従って、携帯型記録媒体５に記憶されたデータを入力するデータ処理装置３７は、データ入力の際に被検体内画像データからなるデータ群および識別データの他にデータ群を構成する個々の被検体内画像データに対応づけられた時刻データについても入力が可能となる。
【００６９】
次に、データ処理装置３７について説明する。図１０に示すように、データ処理装置３７は、実施の形態１と同様に入出力インタフェース１８、データ処理部２２、入力部２３および表示部２４を備える。その一方で、データ処理装置３７は、携帯型記録媒体５に記録されている複数の被検体内画像データによって構成される１以上のデータ群を特定するデータ群特定部４１と、データ群特定部４１によって特定された１以上のデータ群のそれぞれに関して対応する識別データが記録されているか否かを判定する判定部３３と、判定部３３によって得られた判定結果に基づきそれぞれのデータ群に対応した処理を行う制御部３４と、それぞれのデータ群に関してデータを記憶する記憶部３５とを備える。
【００７０】
データ群特定部４１は、携帯型記録媒体５に記録された多数の被検体内画像データに関して、それぞれが属するデータ群を特定するためのものである。データ群特定部４１は、携帯型記録媒体５に記録された被検体内画像データのそれぞれの記録時刻である時刻データに基づき被検体内画像データを分類し、分類された被検体内画像データの集まり毎に異なるデータ群として特定する機能を有する。
【００７１】
データ群特定部４１の処理動作について説明する。図１１は、データ処理装置３７が携帯型記録媒体５に記録されたデータ群を入力する際におけるデータ群特定部４１の動作について示すフローチャートである。図１１に示すように、データ群特定部４１は、入出力インタフェース１８を介して携帯型記録媒体５に記録された時刻データを入力し（ステップＳ３０１）、直前の時刻データとの間隔が所定の閾値以上となる時刻データが存在するか否かを判定する（ステップＳ３０２）。そして、閾値以上となる時刻データが存在しない場合には（ステップＳ３０２，Ｎｏ）、後述するステップＳ３０４に移行する。一方で、閾値以上の時刻データが存在した場合には（ステップＳ３０２，Ｙｅｓ）、かかる時刻データに示される時刻以降に生成された被検体内画像データは、それよりも前に生成された被検体内画像データとは異なるデータ群に属するものと判定する（ステップＳ３０３）。
【００７２】
その後、データ群特定部４１は、携帯型記録媒体５に記録された時刻データのすべてに関して検証が完了したか否かを判定し（ステップＳ３０４）、検証が完了した場合には（ステップＳ３０４，Ｙｅｓ）、データ群特定を完了し、特定結果を判定部３３に出力する。一方で、すべての時刻データに関して検証が完了していない場合には（ステップＳ３０４，Ｎｏ）、ステップＳ３０２に戻って残りの時刻データに関して上述の処理を繰り返す。その後は、実施の形態１におけるステップＳ１０１〜Ｓ１０５と同様の処理が行われ、必要に応じて入力指示メッセージが表示されると共に、新たな識別データの入力がないデータ群に関しては、記憶部３５への記録を停止する等の処理が行われる。
【００７３】
図１２は、ステップＳ３０２、Ｓ３０３におけるデータ群特定処理の内容について示す模式図である。なお、図１２は、あくまでステップＳ３０３の内容を説明するための図であり、携帯型記録媒体５に記録されているデータの構造そのものではないことに注意が必要である。
【００７４】
図１２に示すように、データ１、データ２、・・・、データｎ＋２の被検体内画像データに関して、本実施の形態３ではあらかじめデータ生成時刻を示すデータとしての時刻データが対応して記録されている。例えば、図１２の例では、データ１は、２００４年３月６日１５時１３分１５秒５０に生成され、データ２は、２００４年３月６日１５時１３分１６秒５０に生成されている。このように、本実施の形態３では、計時部３８の作用によりそれぞれの被検体内画像データに対応した時刻データが与えられており、データ群特定部４１は、かかる時刻データに基づくデータ群特定処理を行う。具体的には、データ群特定部４１は、被検体内画像データに対応した時刻データを時系列順に順次参照し、隣接する時刻データにおける時間間隔を検証していく。すなわち、図１２の例では、データ群特定部４１は、データ１に対応した時刻データとデータ２に対応した時刻データとの時間間隔の検証を行い、データ２に対応した時刻データとデータ３に対応した時刻データとの時間間隔の検証を行っていくこととなる。
【００７５】
そして、データ群特定部４１は、ステップＳ３０２に示したように直前の時刻データとの時間間隔が所定の閾値を超えた値となる時刻データが存在するか否かの判定を行う。閾値の値を例えば２秒とした場合、図１２の例では、データｍ＋１に対応した時刻データは、直前の時刻データ、すなわちデータｍに対応した時刻データとの間の時間間隔が５分である。従って、データ群特定部４１は、データｍ＋１に対応した時刻データは、直前の時刻データとの間の時間間隔が閾値を超えるものであると判定し（ステップＳ３０２，Ｙｅｓ）、データｍ＋１およびそれ以降に生成された被検体内画像データは、ステップＳ３０３に示したように、データｍおよびそれ以前に生成された被検体内画像データが属するデータ群と異なるデータ群に属するものと判断する。
【００７６】
データｍ＋２に対応した時刻データおよびそれ以降の時刻データに関しても、データ群特定部４１は、各時刻データについて同様の処理を行う。図１２の例では、さらにデータｎ＋２に対応した時刻データに関しても、直前の時刻データ、すなわちデータｎ＋１に対応した時刻データとの間の時間間隔が２日であることに鑑みて、データ群特定部４１は、時間間隔が閾値を超えており、データｎ＋２およびそれ以降に生成された被検体内画像データは、データｎ＋１とは異なるデータ群に属するものと判断する。以上のプロセスを経ることによって、データ群特定部４１は、図１２にも示すように、携帯型記録媒体５に記録された多数の被検体内画像データに関して、第１データ群、第２データ群および第３データ群という異なる三種類のデータ群が存在するものと特定し、特定した結果を判定部３３等に出力するのである。
【００７７】
次に、本実施の形態３にかかる被検体内導入システムの利点について説明する。まず、本実施の形態３にかかる被検体内導入システムは、実施の形態１、２と同様に、事前に識別データの入力がなされなかった場合に、事後的に識別データの入力がなされる確実性を向上させることができるという利点を有する。
【００７８】
また、実施の形態３にかかる被検体内導入システムは、データ処理装置３７においてデータ群特定部４１を備えることとしている。実施の形態２においても説明したように、同一の携帯型記録媒体５に対してそれぞれ異なるデータ群に属すべき複数の被検体内画像データが混在している場合には、識別データの有無の判定等を行う前に、データ群の特定を行うことが必要である。
【００７９】
一方で、近年の被検体内導入システムは、データ処理時にデータを時系列順に表示することによって診断の便宜を図る等の理由に基づき、被検体内画像データを携帯型記録媒体５に記録する際の時刻についても記録する構成を採用している。本実施の形態３では、かかる時刻データを有効に活用することによって、撮像対象たる被検体１が異なる等の別種の被検体内画像データが同一の携帯型記録媒体５に記録されている場合に、それぞれを異なるデータ群に属するものと特定し、診断等における不具合を解消している。
【００８０】
具体的には、同一の被検体１に対してカプセル型内視鏡２を導入して被検体内画像データを取得する場合、それぞれに対応した時刻データ間の時間間隔は、カプセル型内視鏡２の撮像間隔に対応してほぼ一定の値を維持するはずである。例えば、一般的なカプセル型内視鏡２の撮像間隔は０．５秒程度であることから、取得される被検体内画像データの生成時刻たる時刻データ間の時間間隔も０．５秒程度となるのが通常である。換言すれば、かかる時間間隔を維持している限り、時刻データに対応する被検体内画像データは、同一の被検体１に対して同一のカプセル型内視鏡２を用いた検査に対応するデータであるものと推測することが可能である。
【００８１】
これに対して、同一の携帯型記録媒体５に対して、異なる検査等によって取得される別種の被検体内画像データを記録した場合には、時刻データ間の時間間隔は異なるものとなる。例えば、ある検査を行った翌日に別の検査を行い、それぞれにおいて取得した被検体内画像データを同一の携帯型記録媒体５に記録した場合には、別種の被検体内画像データに対応した時刻データは、異なる日付を内容とすることとなり、時刻データ間の時間間隔は、上述の０．５秒よりも著しく大きな値となる。換言すれば、時刻データ間の時間間隔が著しく大きい場合には、それぞれの時刻データに対応した被検体内画像データは、異なる検査等において取得された別種のもの、すなわち別のデータ群として把握すべきものであるということとなる。
【００８２】
かかる原理に基づいて、本実施の形態３では、データ群特定部４１が時刻データ間の時間間隔に基づくデータ群特定を行うこととしている。かかる構成を採用することにより、異なる検査等によって取得された被検体内画像データを異なるデータ群に属するものとして認識することが可能となり、診断等における不具合を回避することが可能であるという利点を有する。
【００８３】
また、本実施の形態３では、データ群特定部４１によって特定された１以上のデータ群のそれぞれに対して、判定部３３が識別データの有無を判定することとしている。従って、携帯型記録媒体５に複数のデータ群に属する被検体内画像データが記録され、かつ一部のデータ群に対応する識別データのみが記録されているような場合であっても確実に判定動作を行うことが可能である。そのため、制御部３４等の処理とあわせてすべてのデータ群に関して対応する識別データが存在する状態で記憶部３５に記録し、診断等で不具合が生じることを回避することができるという利点を有する。
【００８４】
なお、ステップＳ３０２における判断に用いる閾値としては、上述の２秒以外の値としても良く、データ群の特定に便利な値を用いることとして良い。一般論としては、通常状態で０．５秒間隔で被検体内画像データの取得が行われるシステムの場合でも、例えばカプセル型内視鏡２から送信される無線信号に関して受信装置３６で受信エラーが生じることがある。かかる場合、受信エラーの発生によって時刻データ間の時間間隔が０．５秒よりも大きな値となったとしても、対応する被検体内画像データは、同一データ群に属するものである。かかる場合に異なるデータ群に属するものと特定されることを回避する観点からは、通常の時間間隔に対してある程度の余裕を持たせた閾値とすることが好ましい。
【００８５】
以上、本発明を実施の形態１〜３に渡って説明したが、本発明は実施の形態１〜３に限定して解釈する必要はなく、当業者であれば様々な実施例、変形例等に想到することが可能である。例えば、入力指示手段として表示部を用いて視覚的に表示することとしたが、かかる構成に限定する必要はなく、例えば音声によって指示する構成を採用しても良い。
【００８６】
また、データ処理装置が処理するデータに関しても、カプセル型内視鏡２によって取得された被検体内画像データに限定して解釈する必要はないし、外部装置を携帯型記録媒体に限定して解釈する必要はない。例えば、受信装置を外部装置とし、受信装置とデータ処理装置とが例えばケーブルを介して直接データのやりとりを行う構成としても良い。
【図面の簡単な説明】
【００８７】
【図１】実施の形態１にかかる被検体内導入システムの全体構成を示す模式図である。
【図２】被検体内導入システムに備わる受信装置の構成を示す模式的なブロック図である。
【図３】被検体内導入システムに備わるデータ処理装置の構成を示す模式的なブロック図である。
【図４】データ処理装置の動作内容を示すフローチャートである。
【図５】表示部に表示される入力指示メッセージの一例について示す模式図である。
【図６】実施の形態２にかかる被検体内導入システムに備わる受信装置の構成を示す模式的なブロック図である。
【図７】実施の形態２にかかる被検体内導入システムに備わるデータ処理装置の構成を示す模式的なブロック図である。
【図８】データ処理装置に備わるデータ群特定部における処理内容を示すフローチャートである。
【図９】実施の形態３にかかる被検体内導入システムに備わる受信装置の構成を示す模式的なブロック図である。
【図１０】実施の形態３にかかる被検体内導入システムに備わるデータ処理装置の構成を示す模式的なブロック図である。
【図１１】データ処理装置に備わるデータ群特定部の処理内容を示すフローチャートである。
【図１２】時刻データとデータ群特定との間の関係について示す模式図である。
【符号の説明】
【００８８】
１  被検体
２  カプセル型内視鏡
３  受信装置
４  データ処理装置
５  携帯型記録媒体
６ａ〜６ｈ  受信アンテナ
９  アンテナ選択部
１０  受信回路
１１  信号処理部
１２  識別データ入力部
１３  記憶部
１４  制御部
１５  Ａ／Ｄ変換部
１６  電力供給部
１７  駆動スイッチ
１８  入出力インタフェース
１９  判定部
２０  制御部
２０ａ  入力指示制御部
２０ｂ  データ群入力制御部
２１  記憶部
２２  データ処理部
２３  入力部
２４  表示部
２６  受信装置
２７  データ処理装置
２８  動作ログ生成部
２９  駆動スイッチ
３０  制御部
３１  記憶部
３２  データ群特定部
３３  判定部
３４  制御部
３４ａ  入力指示制御部
３４ｂ  データ群入力制御部
３５  記憶部
３６  受信装置
３７  データ処理装置
３８  計時部
３９  制御部
４０  記憶部
４１  データ群特定部
【図１】
2006061627.tif 000003
【図２】
2006061627.tif 000004
【図３】
2006061627.tif 000005
【図４】
2006061627.tif 000006
【図５】
2006061627.tif 000007
【図６】
2006061627.tif 000008
【図７】
2006061627.tif 000009
【図８】
2006061627.tif 000010
【図９】
2006061627.tif 000011
【図１０】
2006061627.tif 000012
【図１１】
2006061627.tif 000013
【図１２】
2006061627.tif 000014